(57)【要約】【課題】  監視端末へのアプリケーションのインストールを必要とすることなく、監視対象機器から入力される各種のデジタル信号やアナログ信号等の機器データを監視端末に表示することができる遠隔監視システムを得る。【解決手段】  監視対象局１は、データ配信用ＷＷＷサーバ装置１０により、データ収集装置２０により収集された監視対象機器３１、３２からの監視データを反映して、監視画面定義１３にしたがってＷＥＢブラウザ３０１に表示される監視画面画像を作成して、インターネット２００を介してインターネット監視端末３００に配信し、インターネット監視端末３００のＷＥＢブラウザ３０１上でこの監視画面画像を表示して監視対象機器３１、３２をインターネット監視端末３００により遠隔から監視する。【選択図】図１
2005204183.tif 000002
【特許請求の範囲】
【請求項１】
監視対象機器からの監視データを収集するデータ収集装置、このデータ収集装置により収集された監視データをインターネットまたはイントラネットを介して配信するデータ配信用ＷＷＷサーバ装置、及びＷＥＢブラウザを有し、このＷＥＢブラウザにより上記データ配信用ＷＷＷサーバ装置によって配信される監視データを受信して表示することにより上記監視対象機器を遠隔から監視する監視端末を備え、上記データ配信用ＷＷＷサーバ装置は、予め定義された監視画面定義にしたがい上記監視対象機器から収集された監視データを反映して上記ＷＥＢブラウザで表示されるように監視画面画像を作成する画像変換手段と、この画像変換手段により作成された監視画面画像をインターネットまたはイントラネットを介して上記監視端末に配信するデータ配信手段とにより構成されていることを特徴とする遠隔監視システム。
【請求項２】
上記監視端末にはインターネットを介して接続された携帯端末が含まれることを特徴とする請求項１記載の遠隔監視システム。
【請求項３】
インターネットに接続され、上記データ配信用ＷＷＷサーバ装置から監視画面画像を取得するインターネット監視装置と、このインターネット監視装置により取得された監視画面画像を蓄積するデータ蓄積装置とを有する監視センタを備え、上記監視センタのインターネット監視装置は、上記データ配信用ＷＷＷサーバ装置から監視画面画像を取得する監視画像取得手段と、上記監視端末のＷＥＢブラウザからの要求に応じて上記データ蓄積装置に蓄積された監視画面画像を配信する蓄積データ配信手段とにより構成され、上記監視センタのデータ蓄積装置は、上記インターネット監視装置の監視画像取得手段により取得された監視画面画像を監視画面画像履歴データベースに格納する画像格納手段と、上記蓄積データ配信手段からの要求に応じて上記監視画面画像履歴データベースから監視画面画像を検索する画像検索手段とにより構成されていることを特徴とする請求項１または請求項２遠隔監視システム。
【請求項４】
上記監視センタのデータ蓄積装置は、上記監視画像取得手段により取得された監視画面画像と予め設定された異常時の監視画面画像情報とを比較することにより、上記監視画面画像が異常状態にあることを示すイベントを検出すると共に上記検出されたイベントをイベント履歴データベースに格納するイベント検出格納手段と、上記監視端末のＷＥＢブラウザからの要求に基づく上記蓄積データ配信手段からのイベント検索要求に応じて上記イベント履歴データベースからイベントを検索するイベント検索手段とを有することを特徴とする請求項３記載の遠隔監視システム。
【発明の詳細な説明】
【技術分野】
【０００１】
この発明は、インターネットを利用して監視対象機器の遠隔監視を行う遠隔監視システムに関するものである。
【背景技術】
【０００２】
従来の遠隔監視システムでは、監視対象局内に設置され、監視対象機器を監視する監視カメラからの入力画像をインターネットに接続された監視端末に表示したり、あるいは、監視カメラからの入力画像をインターネットに接続されたＷＷＷサーバに蓄積することができるようになっている。（例えば、特許文献１や特許文献２を参照）
【０００３】
【特許文献１】特開平１１−３５５７５９号公報（第３〜５頁、図１）
【特許文献２】特開２００１−２２２３１８号公報（第４〜５頁、図１）
【発明の開示】
【発明が解決しようとする課題】
【０００４】
従来の遠隔監視システムでは、監視カメラからの入力画像をインターネットに配信することができるものの、監視対象機器から入力される各種のデジタル信号やアナログ信号等の機器データをインターネット監視端末に表示したり、インターネットに接続されたＷＷＷサーバに蓄積する場合には、インターネット監視端末やＷＷＷサーバ側に専用のアプリケーションをインストールする必要があった。また、Ｗｉｎｄｏｗｓ（登録商標）アプリケーションやＪａｖａ（登録商標）アプリケーション等をベースとして構築された監視局内に設置される監視装置にも監視対象機器からの収集データを表示する場合、別のアプリケーションをインストールする必要があり、システム構築コストが高くなるなどの問題点があった。
【０００５】
この発明は、上述のような課題を解決するためになされたものであり、監視端末へのアプリケーションのインストールを必要とすることなく、監視対象機器から入力される各種のデジタル信号やアナログ信号等の機器データを監視端末に表示することができる遠隔監視システムを得ることを目的とする。
【課題を解決するための手段】
【０００６】
この発明に係わる遠隔監視システムにおいては、監視対象機器からの監視データを収集するデータ収集装置、このデータ収集装置により収集された監視データをインターネットまたはイントラネットを介して配信するデータ配信用ＷＷＷサーバ装置、及びＷＥＢブラウザを有し、このＷＥＢブラウザによりデータ配信用ＷＷＷサーバ装置によって配信される監視データを受信して表示することにより監視対象機器を遠隔から監視する監視端末を備え、データ配信用ＷＷＷサーバ装置は、予め定義された監視画面定義にしたがい監視対象機器から収集された監視データを反映してＷＥＢブラウザで表示されるように監視画面画像を作成する画像変換手段と、この画像変換手段により作成された監視画面画像をインターネットまたはイントラネットを介して監視端末に配信するデータ配信手段とにより構成されているものである。
【発明の効果】
【０００７】
この発明は、以上説明したように、監視対象機器からの監視データを収集するデータ収集装置、このデータ収集装置により収集された監視データをインターネットまたはイントラネットを介して配信するデータ配信用ＷＷＷサーバ装置、及びＷＥＢブラウザを有し、このＷＥＢブラウザによりデータ配信用ＷＷＷサーバ装置によって配信される監視データを受信して表示することにより監視対象機器を遠隔から監視する監視端末を備え、データ配信用ＷＷＷサーバ装置は、予め定義された監視画面定義にしたがい監視対象機器から収集された監視データを反映してＷＥＢブラウザで表示されるように監視画面画像を作成する画像変換手段と、この画像変換手段により作成された監視画面画像をインターネットまたはイントラネットを介して監視端末に配信するデータ配信手段とにより構成されているので、監視端末への特別のアプリケーションのインストールを必要とすることなく、監視対象機器から入力される監視データを監視端末のＷＥＢブラウザにより表示することができ、インターネットまたはイントラネットに接続さえしていれば、どこでも安価に監視対象機器の遠隔監視が実現できる。
【発明を実施するための最良の形態】
【０００８】
実施の形態１．
この発明の実施の形態１を図１に基づいて説明する。
図１は、この発明の実施の形態１による遠隔監視システムの構成を示すブロック図である。
図１において、監視対象局１に対して、インターネット２００で接続されたＷＥＢブラウザ３０１を備えたインターネット監視端末３００を用いて、監視対象局１の監視を行う。
監視対象機器３１および監視対象機器３２と、監視対象機器３１および監視対象機器３２と接続されたデータ収集装置２０とを備えた監視対象局１に、データ収集装置２０に接続されたデータ配信用ＷＷＷサーバ装置１０を設け、データ配信用ＷＷＷサーバ装置１０とインターネット２００を介して通信するように遠隔地のインターネット監視端末３００が配置されている。
【０００９】
データ収集装置２０は、監視対象機器３１および監視対象機器３２の予め指定した項目の監視データを収集するデータ収集手段２１を有する。データ配信用ＷＷＷサーバ装置１０は、インターネット２００を介してＷｅｂブラウザ３０１へデータを配信するデータ配信手段１１と、予め作成しておいた監視対象機器３１、３２からの取得データを表示するための監視画面定義１４にデータ収集装置２０が取得した監視データを反映して監視対象機器３１および監視対象機器３２の状況を示す画面データを作成し、その画面データをＰＮＧ形式またはＪＰＥＧ形式に変換し、監視画面画像１３とする画像変換手段１２とを備えている。
【００１０】
図２は、この発明の実施の形態１による遠隔監視システムの監視画面画像作成の動作を示すフローチャートである。
図２において、１２、２１は図１におけるものと同一のものである。
【００１１】
図３は、この発明の実施の形態１による遠隔監視システムの監視画面画像の例を示す図である。
図３において、監視画面画像は、監視対象機器の取得データの種別を示す文字列ボタン部品６１０、６１１、６１２、６１３と、データ収集手段２１により取得した監視対象機器の監視データのアナログ値を表示するボタン部品６２１、６２２と、監視データのデジタル値を表示するボタン部品６２３、６２４とを有する。
【００１２】
図４は、この発明の実施の形態１による遠隔監視システムの遠隔監視の動作を示すフローチャートである。
図４において、１１、３０１は図１におけるものと同一のものである。
【００１３】
次に、動作について説明する。
まず、監視画面画像作成の動作を図２に基づき説明する。
データ収集手段２１は、監視対象機器３１および監視対象機器３２の監視データを収集し、収集した監視データをデータ配信用ＷＷＷサーバ装置１０に通知する（ステップＳ１）。
データ収集手段２１から監視データの通知を受信すると、画像変換手段１２は、監視データに該当する監視画面定義１４を取得し（ステップＳ２）、監視データを監視画面定義１４に反映して監視画面データを作成し（ステップＳ３）、監視画面データを監視画面画像１３に変換して、監視画面画像１３を作成する（ステップＳ４）。この監視画面画像の例は図３に示すとおりである。
【００１４】
図３では、数値列ボタン部品６２１、６２２、６２３、６２４にはそれぞれ予め取得する監視データ正常値または正常値の範囲と、ボタンの正常時の背景色と、ボタンの異常時の背景色とが設定されており、取得する監視データが正常な範囲でなく、異常値になった場合には、監視データの数値を表示するとともに、背景色を通常時色から異常時色へと変化させる。
これにより、ユーザは、文字列ボタン部品６１０、６１１、６１２、６１３と数値列ボタン部品６２１、６２２、６２３、６２４を目視することにより、監視対象機器の動作状況を確認することができる。
【００１５】
次に、遠隔監視の動作について図４に基づき説明する。
インターネット監視端末３００が、ＷＥＢブラウザ３０１を用いてインターネット２００を介してデータ配信用ＷＷＷサーバ装置１０にアクセスすると（ステップＳ５）、データ配信手段１１は、ＷＥＢブラウザ３０１が要求した監視画面画像１３を取得し（ステップＳ６）、ＷＥＢブラウザ３０１に配信する（ステップＳ７）。監視画面画像１３を取得すると、ＷＥＢブラウザ３０１は、その監視画面画像１３を表示する（ステップＳ８）。
【００１６】
実施の形態１によれば、監視対象機器３１および監視対象機器３２の遠隔監視をデータ配信用ＷＷＷサーバ装置１０、データ収集装置２０により、監視対象機器３１および３２の稼動状況をデータ配信用ＷＷＷサーバ装置１０からインターネット２００を介してインターネット監視端末３００に画像データとして配送するようにしたので、インターネット監視端末への特別のアプリケーションのインストールを必要とすることなく、監視対象機器から入力される各種のデジタル信号やアナログ信号等の機器データをインターネット監視端末に表示することができ、インターネットに接続さえしていれば、どこでも安価に監視対象機器の遠隔監視が実現できる。
【００１７】
実施の形態２．
この発明の実施の形態２を図５に基づいて説明する。
図５は、この発明の実施の形態２による遠隔監視システムの構成を示すブロック図である。
図５において、図１の構成に加えて、データ配信用ＷＷＷサーバ装置１０とデータ収集装置２０とにイントラネット２０１で接続されたイントラネット監視端末４０を監視対象局１に設け、イントラネット監視端末４０は、ＷＥＢブラウザ４１を有している。
【００１８】
実施の形態１は、監視画面画像１３をインターネット２００を介してインターネット監視端末３００に提供したが、実施の形態２は、これに加えて、監視画面画像１３をイントラネット２０１を介して、イントラネット監視端末４０にも提供するようにした。
【００１９】
実施の形態２によれば、実施の形態１と同様にして、イントラネット２０１を介してイントラネット監視端末４０にも監視画面画像を提供できるので、インターネットからの監視とイントラネットからの監視が同一の機器で安価に実現できる。
【００２０】
実施の形態３．
この発明の実施の形態３を図６に基づいて説明する。
図６は、この発明の実施の形態３による遠隔監視システムの構成を示すブロック図である。
図６において、図５の構成に加えて、データ配信用ＷＷＷサーバ装置１０とインターネット２００により接続されたインターネット監視携帯端末４００を設けている。インターネット監視携帯端末４００は、ＷＥＢブラウザ４０１を有する。
実施の形態３は、実施の形態２に加え、インターネット監視携帯端末４００により監視対象局１の監視を行うようにした。
【００２１】
実施の形態３によれば、実施の形態１と同様にして、インターネット２００を介してインターネット監視携帯端末４００にも監視画面画像を提供できるので、さらに監視対象機器の監視をより便利に行うことができる。
【００２２】
実施の形態４．
この発明の実施の形態４を図７に基づいて説明する。
図７は、この発明の実施の形態４による遠隔監視システムの構成を示すブロック図である。
図７において、図１の構成に加えて、データ配信用ＷＷＷサーバ装置１０とインターネット２００により接続されたインターネット監視装置５００と、画像データを蓄積するデータ蓄積装置５１０とを備えた監視センタ３０を設けている。
インターネット監視装置５００には、データ配信手段１１の配信する監視画面画像１３を取得する監視画像取得手段５０１と、インターネット２００に接続された監視端末のＷＥＢブラウザからの要求に応じて、インターネット２００を介してデータ蓄積装置５１０に蓄積された監視画面画像を配信する蓄積データ配信手段５０２とを有する。データ蓄積装置５１０には、取得した監視画面画像を監視画面画像履歴５１３（監視画面画像履歴データベース）に格納する画像格納手段５１１と、監視画面画像履歴５１３から指定した監視画面画像を検索する画像検索手段５１２を有している。
【００２３】
図８は、この発明の実施の形態４による遠隔監視システムの監視画面取得から格納までの動作を示すフローチャートである。
図８において、１１、５０１、５１１は図７におけるものと同一のものである。
図９は、この発明の実施の形態４による遠隔監視システムの画面画像履歴のデータフォーマットを示す図である。
図９において、画面画像履歴のデータフォーマットは、監視画面画像１３へのリンクと、監視画面画像を取得した時間を示すタイムスタンプとを有する。
図１０は、この発明の実施の形態４による遠隔監視システムの監視画面検索の動作を示すフローチャートである。
図１０において、３０１、５０２、５１２は図７におけるものと同一のものである。
【００２４】
次に動作について説明する。
まず、監視画面画像の取得から格納までの動作を図８に基づき説明する。
監視画像取得手段５０１は、インターネット２００を介してデータ配信用ＷＷＷサーバ１０に監視画面画像を要求する（ステップＳ１１）と、データ配信手段１１は、監視画面画像１３を取得し（ステップＳ１２）、取得した監視画面画像１３を配信する（ステップＳ１３）。データ配信用ＷＷＷサーバ装置１０から監視画面画像１３を受信すると、監視画像取得手段５０１は、取得した監視画面画像１３をデータ蓄積装置５１０に送信する（ステップＳ１４）。
インターネット監視装置５０１からの監視画面画像１３を受信すると、画像格納手段５１１は、受信した監視画面画像１３とその監視画面画像１３を取得した時間を示すタイムスタンプの組を画面画像履歴５１３に格納する（ステップＳ１５）。この画面画像履歴のデータフォーマットは、図９に示すとおりである。
【００２５】
次に、監視画面検索の動作について図１０に基づき説明する。
ＷＥＢブラウザ３０１がインターネット２００を介してインターネット監視装置５００に指定した時間または期間の監視画面画像を要求する（ステップＳ２１）と、蓄積データ配信手段５０２は、データ蓄積装置５１０に該当する監視画面画像の検索を要求する（ステップＳ２２）。インターネット監視装置５００から指定した時間または期間の監視画面画像の検索要求を受信すると、画像検索手段５１２は、監視画面画像履歴５１３から指定した時間または期間の監視画面画像を検索し（ステップＳ２３）、その結果該当するタイムスタンプをもつ監視画面画像一覧を取得し、蓄積データ配信手段５０２に送信する（ステップＳ２４）。
【００２６】
画像検索手段５１２から監視画面画像の一覧を受信すると、蓄積データ配信手段５０２は、インターネット監視端末３００に対して監視画面画像一覧画面を通知し（ステップＳ２５）、ユーザにＷＥＢブラウザ３０１を用いて監視画面画像を選択させ（ステップＳ２６）、ユーザが選択した監視画面画像の取得要求を蓄積データ配信手段５００に送信する（ステップＳ２７）。
インターネット監視装置５０１から監視画面画像の取得要求を受信すると、画像検索手段５１２は、該当する監視画面画像を監視画面画像履歴５１３から取得し（ステップＳ２８）、インターネット監視装置５００に送信する。データ蓄積装置５１０から監視画面画像を受信すると、蓄積データ配信手段５０２は、監視画面画像を要求したインターネット監視端末３００に配信する（ステップＳ２９）。インターネット監視装置５００から監視画面画像を受信すると、ＷＥＢブラウザ３０１は、受信した監視画面画像を表示する（ステップＳ３０）。
【００２７】
実施の形態４によれば、インターネット監視端末３００でデータ配信用ＷＷＷサーバ装置１０からその時点の監視画面画像を取得できるだけでなく、インターネット監視装置５００から特定の過去の監視画面画像を取得することができる。
【００２８】
実施の形態５．
この発明の実施の形態５を図１１に基づいて説明する。
図１１は、この発明の実施の形態５による遠隔監視システムを示す構成図である。
図１１においては、図７の構成に加えて、データ蓄積装置に、監視画面画像と予め設けられた異常時の監視画面画像の情報である異常情報５１５とを比較演算等をすることにより、異常状態にあることを示すイベントを検出すると共に、イベント履歴５１７（イベント履歴データベース）にイベントを格納するイベント検出格納手段５１４と、指定されたイベントをイベント履歴５１７から検索するイベント検索手段５１６とを設けたものである。
【００２９】
図１２は、この発明の実施の形態５による遠隔監視システムイベント検出格納の動作を示すフローチャートである。
図１２において、１１、５０１、５１４は図１１におけるものと同一のものである。
【００３０】
図１３は、この発明の実施の形態５による遠隔監視システムのイベント履歴のデータフォーマットを示す図である。
図１３において、イベント履歴のデータフォーマットは、イベント名と、監視画面画像履歴５１３に格納されているイベントが検出された監視画面画像へのリンクと、直前のイベントへのリンクと、直後のイベントへのリンクと、イベントが検出された監視画面画像を取得した時刻のタイムスタンプとを有している。
【００３１】
図１４は、この発明の実施の形態５による遠隔監視システムのイベント検索の動作を示すフローチャートである。
図１４において、３０１、５０２、５１２、５１６は図１１におけるものと同一のものである。
【００３２】
次に、動作について説明する。
まず、イベント検出格納の動作を図１２に基づき説明する。
監視画像取得手段５０１は、監視画面画像を要求する（ステップＳ３１）。この要求に応じてデータ配信手段１１は、監視画面画像１３を取得し（ステップＳ３２）、この取得した監視画面画像１３を監視画像取得手段５０１に配信する（ステップＳ３３）。データ配信用ＷＷＷサーバ装置１０から監視画面画像１３を受信すると、監視画像取得手段５０１は、取得した監視画面画像１３をデータ蓄積装置５１０に送信する（ステップＳ３４）。
【００３３】
インターネット監視装置５００の監視画像取得手段５０１から監視画面画像１３を受信すると、イベント検出格納手段５１４は、異常情報５１５を取得し、監視画面画像１３と異常情報５１５とを比較し、イベントの発生を調査する（ステップＳ３５）。イベント検出格納手段５１４は、イベントを検出した場合（ステップＳ３６）、イベントが検出された監視画面画像を取得した時刻のタイムスタンプと、監視画面画像履歴５１３に格納されているイベントが検出された監視画面画像へのリンクと、直前のイベントへのリンクと、直後のイベントへのリンクの組をイベント履歴５１７に格納する（ステップＳ３７）。イベント検出格納手段５１４は、異常状態にあることを検出しない場合（ステップＳ３６）は、何もせず終了する（ステップＳ３８）。なお、イベント履歴５１７に保存するデータのフォーマットは、図１３に示すとおりである。
【００３４】
次に、イベント検索の動作を図１４に基づき説明する。
インターネット監視端末３００のＷＥＢブラウザ３０１からイベント取得要求を受信すると（ステップＳ４１）、蓄積データ配信手段５０２は、イベント検索要求をデータ蓄積装置５１０に送信する（ステップＳ４２）。インターネット監視装置５００からイベント検索要求を受信すると、イベント検索手段５１６は、イベント履歴５１５のイベント検索を行い（ステップＳ４３）、イベント一覧を作成し、インターネット監視装置５００に送信する（ステップＳ４４）。
データ蓄積装置５１０からイベント一覧を受信すると、蓄積データ配信手段５０２は、イベント一覧をインターネット監視端末３００に送信し（ステップＳ４５）、ユーザにＷＥＢブラウザ３０１を用いてイベントを選択させる（ステップＳ４６）。
【００３５】
ユーザがＷＥＢブラウザ３０１を用いてイベント一覧からイベントを選択すると、蓄積データ配信手段５０２は、イベントの監視画面画像要求をデータ蓄積装置５１０に通知する（ステップＳ４７）。インターネット監視装置５００から監視画面画像取得要求を受信すると、画像検出手段５１２は、該当する監視画面画像を監視画面画像履歴５１３から取得し、インターネット監視装置５００に送信する（ステップＳ４８）。データ蓄積装置５１０から該当する監視画面画像を取得すると、蓄積データ配信手段５０２は、イベント情報を要求したインターネット監視端末３００に送信する（ステップＳ４９）。インターネット監視端末３００から監視画面画像を受信すると、ＷＥＢブラウザ３０１は、受信した監視画面画像を表示する（ステップＳ５０）。
【００３６】
実施の形態５によれば、監視端末からの要求に基づきイベント履歴から検索されたイベントに応じた監視画面画像を監視端末のＷＥＢブラウザに表示することができる。
【図面の簡単な説明】
【００３７】
【図１】この発明の実施の形態１による遠隔監視システムの構成を示すブロック図である。
【図２】この発明の実施の形態１による遠隔監視システムの監視画面画像作成の動作を示すフローチャートである。
【図３】この発明の実施の形態１による遠隔監視システムの監視画面画像の例を示す図である。
【図４】この発明の実施の形態１による遠隔監視システムの遠隔監視の動作を示すフローチャートである。
【図５】この発明の実施の形態２による遠隔監視システムの構成を示すブロック図である。
【図６】この発明の実施の形態３による遠隔監視システムの構成を示すブロック図である。
【図７】この発明の実施の形態４による遠隔監視システムの構成を示すブロック図である。
【図８】この発明の実施の形態４による遠隔監視システムの監視画面取得から格納までの動作を示すフローチャートである。
【図９】この発明の実施の形態４による遠隔監視システムの画面画像履歴のデータフォーマットを示す図である。
【図１０】この発明の実施の形態４による遠隔監視システムの監視画面検索の動作を示すフローチャートである。
【図１１】この発明の実施の形態５による遠隔監視システムを示す構成図である。
【図１２】この発明の実施の形態５による遠隔監視システムイベント検出格納の動作を示すフローチャートである。
【図１３】この発明の実施の形態５による遠隔監視システムのイベント履歴のデータフォーマットを示す図である。
【図１４】この発明の実施の形態５による遠隔監視システムのイベント検索の動作を示すフローチャートである。
【符号の説明】
【００３８】
１  監視対象局
１０  データ配信用ＷＷＷサーバ装置
１１  データ配信手段
１２  画像変換手段
１３  監視画面画像
１４  監視画面定義
２０  データ収集装置
２１  画像変換手段
３０  監視センタ
３１  監視対象機器
３２  監視対象機器
４０  イントラネット監視端末
４１  ＷＥＢブラウザ
２００  インターネット
２０１  イントラネット
３００  インターネット監視端末
３０１  ＷＥＢブラウザ
４００  インターネット監視携帯端末
４０１  ＷＥＢブラウザ
５００  インターネット監視装置
５０１  監視画像取得手段
５０２  蓄積データ配信手段
５１０  データ蓄積装置
５１１  画像格納手段
５１２  画像検索手段
５１３  監視画面画像履歴
５１４  イベント検出格納手段
５１５  異常情報
５１６  イベント検索手段
５１７  イベント履歴
【図１】
2005204183.tif 000003
【図２】
2005204183.tif 000004
【図３】
2005204183.tif 000005
【図４】
2005204183.tif 000006
【図５】
2005204183.tif 000007
【図６】
2005204183.tif 000008
【図７】
2005204183.tif 000009
【図８】
2005204183.tif 000010
【図９】
2005204183.tif 000011
【図１０】
2005204183.tif 000012
【図１１】
2005204183.tif 000013
【図１２】
2005204183.tif 000014
【図１３】
2005204183.tif 000015
【図１４】
2005204183.tif 000016